(57)【特許請求の範囲】
【請求項１】
正面片部の下端縁から底片部を突出すると共に前記正面片部の両側縁から側片部を突出した射出インサート成形品であって、前記正面片部、底片部、及び両側片部の夫々の外面を構成する外形部と、該外形部の内面に積層されて前記正面片部、底片部、及び両側片部の夫々の内面を構成する芯材部とで構成されることで、前記外形部と芯材部の二層構造とされ、前記外形部がブロー成形品を二分割して得られる二つの外形部のうちの一方で構成され、前記芯材部が前記一方の外形部がセットされた射出成形金型内に溶融合成樹脂を射出して当該外形部と一体化した射出樹脂よりなることを特徴とする射出インサート成形品。
【発明の詳細な説明】
【技術分野】
【０００１】
本発明は、射出インサート成形品に関するものである。
【背景技術】
【０００２】
従来から、射出成形品にはウエルドラインやフローマークが発生し易く、このウエルドラインやフローマークが射出成形品の外面に露出するため外観が悪く、商品価値を低下させるという問題あった。
【０００３】
例えば、図６（ｂ）に示すような「止まり４ａ」と称される軒樋の長手方向の端部に取付けられる雨樋部品を射出成形により成形する場合、一般的に、図６（ａ）のように２個の止まり４ａを同時に射出成形するようにしている。この場合、隣合う止まり４ａの側片部７間にランナ２０が位置するようになっており、このため、射出成形金型のキャビティの側片部７を成形する部分に供給された溶融合成樹脂は、上端部に止まり用耳部１５を有する側片部７を形成する部分に沿って流れ、更に向きを変えて正面片部５を形成する部分に流れていくのであるが、このようにして何度も向きを変えて流れていくことで、図６（ａ）のＡで示すようなウエルドラインが生じてしまい、商品価値を低下させてしまう。
【０００４】
一方、射出成形するに当たって、フィルム材を射出成形金型のキャビティ内にセットし、キャビティ内に溶融合成樹脂を射出して上記フィルム材と射出樹脂よりなる芯材部とを一体化して射出インサート成形品を成形するフイルムインサート成形が特許文献１などにより知られている。
【０００５】
この特許文献１に示されたものはフィルム材が射出インサート成形品の外面となり、射出成形によりウエルドラインやフローマークが生じても、これらウエルドラインやフローマークが外面に露出しないようにできるが、フィルム材は３次元方向で厚みが極端に薄くなり、立体感に富んだ複雑な形状の射出インサート成形品は形成できないという問題がある。
【特許文献１】特開２００２−２１９７３３号公報
【発明の開示】
【発明が解決しようとする課題】
【０００６】
本発明は上記の従来の問題点に鑑みて発明したものであって、簡単な構成で、外面にウエルドラインやフローマークが露出しない、立体感に富んだ射出インサート成形品を提供することを課題とするものである。
【課題を解決するための手段】
【０００７】
上記課題を解決するために本発明に係る射出インサート成形品は、正面片部５の下端縁から底片部６を突出すると共に前記正面片部５の両側縁から側片部７を突出した射出インサート成形品であって、前記正面片部５、底片部６、及び両側片部７の夫々の外面を構成する外形部１と、該外形部１の内面に積層されて前記正面片部５、底片部６、及び両側片部７の夫々の内面を構成する芯材部３とで構成されることで、前記外形部１と芯材部３の二層構造とされ、前記外形部１がブロー成形品を二分割して得られる二つの外形部のうちの一方で構成され、前記芯材部３が前記一方の外形部１がセットされた射出成形金型２内に溶融合成樹脂を射出して当該外形部１と一体化した射出樹脂よりなることを特徴とするものである。
【０００８】
このような構成とすることで、本発明の射出インサート成形品４は、外面がブロー成形により形成した外形部１で構成され、射出成形によるウエルドラインやフローマークが生じても芯材部３に発生するのみであり、したがって、外面にウエルドラインやフローマークが露出しない射出インサート成形品４を提供でき、また、ブロー成形により形成した外形部１に射出成形した芯材部３が一体化しているので、ブロー成形により形成した外形部１が芯材部３により補強できる。
【発明の効果】
【０００９】
本発明は、上記のように、ブロー成形により形成した外形部と、該外形部がセットされた射出成形金型内に溶融合成樹脂を射出して外形部と射出樹脂よりなる芯材部とを一体化して構成してあるので、射出インサート成形品の外面にウエルドラインやフローマークが露出せず、外観がよくて商品価値が高くなり、また、ブロー成形により形成した外形部に射出成形した芯材部が一体化しているので、ブロー成形により形成した外形部が芯材部により補強されて、強度が強く外観のよい射出インサート成形品を提供できる。
【発明を実施するための最良の形態】
【００１０】
以下、本発明を添付図面に示す実施形態に基いて説明する。
【００１１】
図１には本発明の射出インサート成形品４の一例である「止まり」と称される雨樋部品を示している。
【００１２】
本発明の射出インサート成形品４（止まり４ａ）は、外面となって外部に露出する部分である外形部１と、外形部１の内面側に一体に射出成形された芯材部３との２層構造となっている。
【００１３】
止まり４ａは正面片部５の下端縁及び左右の両側縁からそれぞれ正面片部５に対して直角に底片部６および左右の側片部７を一体に突出したもので、底片部６および左右の側片部７はＵ字状に連続しており、また、左右の側片部７の上端部にはそれぞれ止まり用耳部１５が一体に形成してある。
【００１４】
この止まり４ａは以下のようにして使用される。止まり４ａの底片部６および左右の側片部７が連続したＵ字状の部分に軒樋の長手方向の端部を嵌め込むと共に、止まり用耳部１５に軒の両側片の上端部に設けた耳部の長手方向の端部を嵌め込み、接着剤により接着することで軒樋の長手方向の端部に止まり４ａを取り付けて、軒樋の長手方向の端部を遮蔽して水が流れ出さないようにする。
【００１５】
本発明においては、上記止まり４ａの外部に露出する部分である外形部１がブロー成形により形成してあり、このブロー成形により形成した外形部１を図５のように射出成形金型２内のキャビティ２ａにセットし、キャビティ２ａに溶融合成樹脂を射出して外形部１と射出樹脂よりなる芯材部３とを一体化することで、射出インサート成形品４である本発明の止まり４ａを形成している。
【００１６】
外形部１はブロー成形により形成するのであるが、上記止まり４ａの場合、ブロー成形により成形したブロー成形品８を２つに分割して加工することで２つの外形部１を形成するようにしている。
【００１７】
図４にはブロー成形の成形順序を示す概略説明図が示してある。すなわち、図４（ａ）のように、ブロー成形金型１０を型開きした状態で、型開きしたブロー成形金型１０内にパリソン１１を入れ、次に、図４（ｂ）のように、ブロー成形金型１０を型締めすると共に、空気を吹き込んでパリソン１１を膨らませてブロー成形金型１０の内面に沿うように成形し、次に、図４（ｃ）のように、ブロー成形金型１０を型開きし、その後、ブロー成形品８を取り出すのである。
【００１８】
ここで、本発明において、上記図４に示すような順序で成形するブロー成形品８としては、図３に示すようなブロー成形品８を成形するものであり、ブロー成形した状態では左右２つの外形部１が連続部１２により連続した状態のブロー成形品８を成形する。
【００１９】
この２つの外形部１が連続部１２により連続した状態の図３のようなブロー成形品８を、連続部１２部分で２つに切断分割して（図３においては左右に２つに切断分割して）２つの外形部１を形成すると共に切断分割した外形部１の周囲の余分な部分１３を除去するといった加工をして、図２に示すような外形部１を２つ形成する。このようにして形成された外形部１は実施形態では、最終的に形成しようとする止まり４ａの外形と同じ形状のものであり、正面片部５の外面部分となる正面外形片部５’、底片部６の外面部分となる底面外形片部６’、両側面片部７の外面部分となる両側面外形片部７’、止まり用耳部１５の外面部分となる止まり用耳外形部１５’を一体に備えたものである。
【００２０】
上記のようにして得たブロー成形品よりなる外形部１を、図５のように射出成形金型２のキャビティ２ａ内にセットし、キャビティ２ａ内に溶融合成樹脂を射出し、上記ブロー成形により形成した外形部１の内面側に溶融合成樹脂を固化して形成される射出樹脂よりなる芯材部３を一体に積層することで、ブロー成形により形成した外形部１と射出樹脂よりなる芯材部３とが一体化した射出インサート成形品４である止まり４ａを形成するものである。
【００２１】
上記のようにして成形した射出インサート成形品４である止まり４ａは、外面がブロー成形により形成した外形部１で構成されており、射出成形によるウエルドラインやフローマークが生じるとしても芯材部３に発生するのみであって、射出インサート成形品４である止まり４ａの外面にはウエルドラインやフローマークが露出しないことになる。したがって、本発明の射出インサート成形品４は、ウエルドラインやフローマークが外面に露出しない外観に優れたものとなる。
【００２２】
また、本発明においてインサートする部材である外形部１がブロー成形品よりなるので、フィルムでは厚みが極端に薄く、立体感に富んだ複雑な形状のものであっても、ブロー成形により簡単且つ確実に成形できるため、添付図面に示すような止まり４ａだけでなく、他の様々な立体感に富んだ複雑な形状の射出インサート成形品４の外形部１を形成できることになる。
【００２３】
また、本発明の射出インサート成形品４は、ブロー成形により形成した外形部１に射出成形した芯材部３が一体化しているので、ブロー成形により形成した外形部１が芯材部３により補強できる。
【００２４】
ここで、ブロー成形品よりなる外形部１の内面側に射出成形により一体に形成される芯材部３は、ブロー成形品よりなる外形部１と密着する材料であれば、使用する合成樹脂の種類に限定はない。
【００２５】
また、ブロー成形により形成した外形部１には様々な模様や着色が施されていてもよく、射出インサート成形する際に、模様や色の異なる外形部１を選択して射出成形金型２のキャビティ２ａ内にセットして射出成形することで、簡単に外面の模様や色の異なる射出インサート成形品４を得ることができる。
【図面の簡単な説明】
【００２６】
【図１】本発明の射出インサート成形品である止まりを示し、（ａ）は斜視図であり、（ｂ）は（ａ）のＸ−Ｘ線の断面図である。
【図２】同上に用いるブロー成形で成形した外形部の斜視図である。
【図３】同上のブロー成形品の側面図である。
【図４】（ａ）（ｂ）（ｃ）は同上のブロー成形の順序を示す概略説明図である。
【図５】同上の射出成形金型にブロー成形で形成した外形部をセットした状態の断面図である。
【図６】（ａ）は従来の射出成形で止まりを成形した場合に止まりにウエルドラインが発生することを説明する説明図であり、（ｂ）は従来の止まりの斜視図である。
【符号の説明】
【００２７】
１  外形部
２  射出成形金型
３  芯材部
【図１】
0004867817.tif 000002
【図２】
0004867817.tif 000003
【図３】
0004867817.tif 000004
【図４】
0004867817.tif 000005
【図５】
0004867817.tif 000006
【図６】
0004867817.tif 000007